(57)【要約】      （修正有）【課題】一般のコップにも適用できる、汎用性があり、使い易い、保持バンドと蓋とが合体した、どのような径のコップにも、装着ができるコップ用蓋付き保持バンドを提供する。【解決手段】コップ用蓋付き保持バンドは、蓋２０、およびスライド部材４、およびスライド部材保持具３、および保持バンド１０にて構成する。前記スライド部材保持具３は、前記保持バンド１０の側面に固定する。また、前記スライド部材は、スライド部材保持具の空洞内にて保持されて、前記凹部内にて移動が可能であり、前記蓋の端部は、前記スライド部材の上部に配置された角度調整部５に接合され、前記保持バンドが、コップの側面の任意の場所に仮固定される。【選択図】図１
0003179082.tif 000002
【実用新案登録請求の範囲】
【請求項１】
蓋、およびスライド部材、およびスライド部材保持具、および保持リングにて構成されたコップ用蓋付き保持バンドであって、
前記スライド部材保持具は、前記保持リングの側面に固定され、前記スライド部材は、
スライド部材保持具の空洞内にて保持されて、前記凹部内にて移動が可能であり、前記蓋の端部は、前記スライド部材の上部に配置された角度調整部に接合され、
前記保持リングは、円周部分の一部領域が、断熱効果を有する部材で構成され、その他の領域が、弾性体で構成されて、コップの任意の外径に対して、前記保持リングが装着可能であることすることを特徴とするコップ用蓋付き保持バンド。
【請求項２】
前記蓋の可動可能な角度は、０°〜１８０°の範囲であり、前記蓋が、コップの開口部を封じると共に、前記蓋が、コップの開口部を任意の角度で解放することが可能であることを特徴とする請求項１記載のコップ用蓋付き保持バンド。
【考案の詳細な説明】
【技術分野】
【０００１】
本考案は、コップの円周部分の任意の高さに装着できる、かつどのような径のコップにも、対応ができるコップ用蓋付き保持バンドに関する。
【背景技術】
【０００２】
従来、コップに対して、断熱を目的として、コップの円周部に断熱部材を配置した例が開示されている。
例えば、特許文献１のコップでは、コップの側面円周部に、肉厚部１２が設置されている。この肉厚部１２がコップの熱を遮断する効果を有し、使用する人が、この肉厚部１２を介してコップを持つ。
【先行技術文献】
【特許文献】
【０００３】
【特許文献１】実用新案登録    第３１５８１８８号
【考案の概要】
【考案が解決しようとする課題】
【０００４】
特許文献１のコップでは、コップの側面円周部に、肉厚部１２が設けられているが、コップの高さの半分から上の範囲に設定されていて、固定された構造である。前記肉厚部１２を上下に動かすことはできないので、使い方の多様性が限定されてしまうという問題点があった。また、通常のコップでは、後加工にて肉厚部１２後を配置することは、不可能であった。
また、特許文献１のコップでは、コップの蓋は、構成要素に入っていない。
【０００５】
本発明の課題は、一般のコップにも適用できる、汎用性があり、使い易い、保持バンドと蓋とが合体した、どのような径のコップにも、装着ができるコップ用蓋付き保持バンドを提供することである。
【課題を解決するための手段】
【０００６】
本考案の請求項１に係るコップ用蓋付き保持バンドは、蓋、およびスライド部材、およびスライド部材保持具、および保持リングにて構成されたコップ用蓋付き保持バンドであって、前記スライド部材保持具は、前記保持リングの側面に固定され、前記スライド部材は、スライド部材保持具の空洞内にて保持されて、前記凹部内にて移動が可能であり、前記蓋の端部は、前記スライド部材の上部に配置された角度調整部に接合され、前記保持リングは、円周部分の一部領域が、断熱効果を有する部材で構成され、その他の領域が、弾性体で構成されて、コップの任意の外径に対して、前記保持リングが装着可能であることすることを特徴とするコップ用蓋付き保持バンドである。
【０００７】
本考案の請求項２に係るコップ用蓋付き保持バンドは、前記蓋の可動可能な角度は、０°〜１８０°の範囲であり、前記蓋が、コップの開口部を封じると共に、前記蓋が、コップの開口部を任意の角度で解放することが可能であることを特徴とする請求項１記載のコップ用蓋付き保持バンドである。
【考案の効果】
【０００８】
本発明によれば、どのような径のコップにも、装着ができる、汎用性があり、使い易い、保持バンドと蓋とが合体した、コップ用蓋付き保持バンドを提供することができる。
【図面の簡単な説明】
【０００９】
【図１】本考案のコップ用蓋付き保持バンドの図。
【図２】本考案のコップ用蓋付き保持バンドをコップに装着し、蓋を閉めた状態の図。
【図３】本考案のコップ用蓋付き保持バンドをコップに装着し、蓋を開けた状態の図。
【図４】従来のコップの図であり、伝熱緩和用の外鍔状肉厚部１２を設けた従来のコップの図。
【実施例】
【００１０】
本考案のコップ用蓋付き保持バンドの実施例について、以下説明する。
（実施例１）
【００１１】
図１は、本考案のコップ用蓋付き保持バンド１００の図である。
コップ用蓋付き保持バンド１００は、保持バンド１０と弾性体１１で構成された、対象となるコップに装着されるべきリング状の部分と、前記保持バンド１０の側面に配置されたスライド部材保持具３と、前記スライド部材保持具３の内部にて移動可能なスライド部材４と、前記スライド部材の端部に設けられた蓋角度調整部５と、前記蓋角度調整部５に接合された蓋とで構成されている。
【００１２】
ここで、保持バンド１０は、その材質を、保温効果の高い、樹脂などが用いられるが、これに限られない。また、弾性体１１は、ゴム板が用いられ、保持バンド１０との接合は、接着材、あるいは、固定用ピンなどが用いられる。
保持リング１０の目的は、熱い飲み物の熱が、手に伝わるのを防止する、あるいは、手の熱が、冷えた飲み物へ伝わるのを防止する、断熱が目的である。
【００１３】
また、弾性体１１の収縮によって、保持バンド１０は、どのような径のコップにも、装着ができる汎用性が実現できる。
ここで、スライド部材保持具３の内部には、長手方向に、空洞のガイド部分が形成されており、前記空洞内をスライド部材が移動可能である。図１に示した長さＬが任意に調節可能である。また、蓋２０の可動可能な角度は、０°〜１８０°の範囲である。
これによって、前記蓋２０は、コップの開口部を封じると共に、前記蓋が、コップの開口部を任意の角度で解放することが可能である。
（実施例２）
【００１４】
図２は、本考案のコップ用蓋付き保持バンド１００をコップ２００に装着し、蓋２０を閉めた状態の図である。図３は、本考案のコップ用蓋付き保持バンド１００をコップ２００に装着し、蓋２０を開けた状態の図である。ここで、図２では、スライド部材保持具３の上端と、蓋角度調整部との距離を、スライド部材４によって、Ｌ１として、かつ蓋２０をコップ２００の上部にかぶさるように設定されている。また、図３では、スライド部材保持具３の上端と、蓋角度調整部との距離を、スライド部材４によって、Ｌ２として、かつ蓋２０をコップ２００の上部に位置にて、約６０°に開放状態としている。
【００１５】
このように、本考案のコップ用蓋付き保持バンドは、熱いお茶、コーヒーなどで熱くなったコップを持ち安くし、蓋によって粉塵、ほこりの侵入を防止する。また、缶ビール、グラスなど、冷えた飲み物対しては、手の熱が、伝わるのを防止できる。
【００１６】
更に、弾性体１１の収縮によって、保持バンド１０は、どのような径のコップにも、装着ができる汎用性が実現できる。また、前記蓋２０は、コップの開口部を封じると共に、前記蓋が、コップの開口部を任意の角度で解放することが可能である。
【符号の説明】
【００１７】
１０    保持バンド
２０    蓋
３    スライド部材保持具
４    スライド部材
５    蓋角度調整部
１１    弾性体
１００    コップ用蓋付き保持バンド
２００    コップ
１  コップ本体
１ａ  開口上面
１ｂ  底面
１ｃ  外周面
１ｅ  中央位置
２  円環リング体
12  肉厚部
13  受け凹曲部
ｋ  下唇
【図１】
0003179082.tif 000003
【図２】
0003179082.tif 000004
【図３】
0003179082.tif 000005
【図４】
0003179082.tif 000006